(57)【要約】      （修正有）【課題】廃棄物処理清掃法にて産業廃棄物処理の委託手続きにおいて運用されている紙マニフェストは１品１葉（７枚複写）で管理運営費用が膨大であるが、電子マニフェスト（電子Ｍ）で運用するには排出事業者の登録データの作成と業者の報告手続きが煩雑で運用上のネックになっている。これを解消する電子マニフェスト登録・報告データ一元管理システムを提供する。【解決手段】複数品目記載できるＥｘｃｅｌ製の単票１枚の作業指示書「マニ研伝票」に複数品目分の処分報告関連項目を設け、その伝票に排出事業場、処分場で追記した項目を業者が端末に追加入力し、入力したデータをＡＳＰに送信し、ＡＳＰが排出事業者の電子Ｍへの登録の代行と業者の電子Ｍへの報告の代行を一括して行う。【選択図】図１
2012141859.tif 000002
【特許請求の範囲】
【請求項１】
産廃の情報処理に関して電子マニフェスト（電子Ｍ）コンピュータとアプリケーションサービスプロバイダー（ＡＳＰ）コンピュータと双方の加入者である排出事業者、収集運搬業者、処分業者の各端末がコンピュ−タ通信ネットワークを構築し電子Ｍを運用するにあたり、
電子Ｍ、ＡＳＰ双方加入の各端末に
図１Ｅｘｃｅｌ製「マニ研伝票」のＨ１に排出事業者の情報（３に電子Ｍ加入者番号、〒、住所、名称、電話番号）を、Ｈ２に該排出事業者の排出事業場の情報（５に排出事業者が電子Ｍに設定した事業場コード、〒、住所、名称、電話番号）を、Ｕ１に収集運搬業者の情報（２１に電子Ｍ加入者番号、〒、住所、名称、電話番号）を、Ｓ１に処分業者の情報（５６に電子Ｍ加入者番号、〒、住所、名称、電話番号）を、Ｓ２に該処分業者の処分事業場の情報（５８に該処分業者が電子Ｍに設定した事業場番号、〒、住所、名称、電話番号）を入力、上記を入力した時点で３の排出事業者の電子Ｍ加入者番号、５の該排出事業者の事業場コード、２１の収集運搬業者の電子Ｍ加入者番号、５６の処分業者の電子Ｍ加入者番号、５８の該処分業者の事業場番号により自動的に生成された数字（パターン番号、図１は７桁）が２のパターン番号に記載され、続いて、図１の１送坦（送信担当者）コードを、図１の１４数量の確定者コードを、図１の２３運搬方法を、図１の６０最終処分の場所を、図１の７５備考を入力、入力した或いは自動的に生成されたデータが記載された「マニ研伝票」データが生成され、生成された該「マニ研伝票」データを、図１の２パターン番号をキーに記憶保存し、印刷する「マニ研伝票」データ生成・記憶保存・印刷手段と、
上記手段実行以前において、下記項目で決定している項目について、図１のＪ巡回に巡回回数を、図１の４引渡し日を、図１の６引渡し担当者コード・氏名を、図１の１５有害物質１を、図１の１６有害物質２を、図１の１７有害物質３を、図１の収１−２運搬担当者氏名を上記手段入力時に追加して入力でき、かつ、引渡す廃棄物品目が１行目の場合は（図１は最大５行）図１の１行目の８廃棄物の種類（コード）、図１の１行目の９廃棄物の種類名（名称）、図１の１行目の１０廃棄物の引渡数量、図１の１行目の１１廃棄物の数量単位（コード）、図１の１行目の１２荷姿（コード）、図１の１行目の５９処分方法を、２行目の場合は（図１は最大５行）図１の２行目の８廃棄物の種類（コード）、図１の２行目の９廃棄物の種類名（名称）、図１の２行目の１０廃棄物の引渡数量、図１の２行目の１１廃棄物の数量単位（コード）、図１の２行目の１２荷姿（コード）、図１の２行目の５９処分方法を、３行目の場合は（図１は最大５行）図１の３行目の８廃棄物の種類（コード）、図１の３行目の９廃棄物の種類名（名称）、図１の３行目の１０廃棄物の引渡数量、図１の３行目の１１廃棄物の数量単位（コード）、図１の３行目の１２荷姿（コード）、図１の３行目の５９処分方法を、４行目の場合は（図１は最大５行）図１の４行目の８廃棄物の種類（コード）、図１の４行目の９廃棄物の種類名（名称）、図１の４行目の１０廃棄物の引渡数量、図１の４行目の１１廃棄物の数量単位（コード）、図１の４行目の１２荷姿（コード）、図１の４行目の５９処分方法を、５行目の場合は（図１は最大５行）図１の５行目の８廃棄物の種類（コード）、図１の５行目の９廃棄物の種類名（名称）、図１の５行目の１０廃棄物の引渡数量、図１の５行目の１１廃棄物の数量単位（コード）、図１の５行目の１２荷姿（コード）、図１の５行目の５９処分方法を上記手段入力時に追加して入力でき、入力された「マニ研伝票」追加データが生成され、生成された該「マニ研伝票」追加データを、図１の２パターン番号をキーに記憶保存し、印刷できる「マニ研伝票」追加データ生成・記憶保存・印刷手段と、
上記手段実行以前において、決定していなかった上記項目の項目データを追加入力するにあたり、上記手段において記憶保存した「マニ研伝票」追加データファイルを図１の２パターン番号、図１のＪ巡回回数と図１のＨ１排出事業者、図１のＨ２排出事業場、図１のＵ１収集運搬業者、図１のＳ１処分業者、図１のＳ２処分事業場の社名をキーに検索し、取得した該「マニ研伝票」追加データに図１の収１−１運搬終了年月日等を追加して入力、入力したデータを記載した「マニ研伝票」再追加データを生成し、生成した該「マニ研伝票」再追加データを、図１の２パターン番号をキーに記憶保存し、印刷する「マニ研伝票」再追加データ生成・記憶保存・印刷手段と、
「マニ研伝票」追加データ生成・記憶保存・印刷手段実行以前において入力すべき全項目データが決定しており該手段において全項目データの入力が完了し「マニ研伝票」追加データファイルが完成している場合は「マニ研伝票」追加データファイルを図１の２パターン番号をキーに記憶保存し記憶保存した該「マニ研伝票」追加データファイルから、或いは「マニ研伝票」追加データ生成・記憶保存・印刷手段実行以前において入力すべき項目データが決定していなかった項目データについては、「マニ研伝票」再追加データ生成・記憶保存・印刷手段により該項目データを入力し入力した「マニ研伝票」再追加データファイルを図１の２パターン番号をキーに記憶保存し記憶保存した該「マニ研伝票」再追加データファイルから、引渡す廃棄物品目の１行目〜５行目の２行目、３行目、４行目、５行目が削除され、引渡す廃棄物品目の１行目だけの「マニ研伝票」１行目だけのデータが生成され、生成された該データが該データの図１の２パターン番号、図１のＪ巡回の巡回回数、図１の１行目の８廃棄物の種類（コード）をキーに、引渡す廃棄物品目の１行目〜５行目の１行目、３行目、４行目、５行目が削除され、引渡す廃棄物品目の２行目だけの「マニ研伝票」２行目だけのデータが生成され、生成された該データが該データの図１の２パターン番号、図１のＪ巡回の巡回回数、図１の２行目の８廃棄物の種類（コード）をキーに、引渡す廃棄物品目の１行目〜５行目の１行目、２行目、４行目、５行目が削除され、引渡す廃棄物品目の３行目だけの「マニ研伝票」３行目だけのデータが生成され、生成された該データが該データの図１の２パターン番号、図１のＪ巡回の巡回回数、図１の３行目の８廃棄物の種類（コード）をキーに、引渡す廃棄物品目の１行目〜５行目の１行目、２行目、３行目、５行目が削除され、引渡す廃棄物品目の４行目だけの「マニ研伝票」４行目だけのデータが生成され、生成された該データが該データの図１の２パターン番号、図１のＪ巡回の巡回回数、図１の４行目の８廃棄物の種類（コード）をキーに、引渡す廃棄物品目の１行目〜５行目の１行目、２行目、３行目、４行目が削除され、引渡す廃棄物品目の５行目だけの「マニ研伝票」５行目だけのデータが生成され、生成された該データが該データの図１の２パターン番号、図１のＪ巡回の巡回回数、図１の５行目の８廃棄物の種類（コード）をキーに引渡す廃棄物品目記入各行毎のデータが記憶保存される「マニ研伝票」引渡す廃棄物品目記入各行毎のデータ生成・記憶保存手段と、
「マニ研伝票」追加データ生成・記憶保存・印刷手段実行以前において入力すべき全項目データが決定しており該手段において全項目データの入力が完了し「マニ研伝票」追加データファイルが完成している場合は「マニ研伝票」追加データファイルを図１の２パターン番号をキーに記憶保存し記憶保存した該「マニ研伝票」追加データファイルから、或いは「マニ研伝票」追加データ生成・記憶保存・印刷手段実行以前において入力すべき項目データが決定していなかった項目データについては、「マニ研伝票」再追加データ生成・記憶保存・印刷手段により該項目データを入力し入力した「マニ研伝票」再追加データファイルを図１の２パターン番号をキーに記憶保存し記憶保存した「マニ研伝票」再追加データファイルから、図２、図３の電子Ｍ排出事業者新規登録（読込／保存）ＣＳＶファイルレイアウト仕様に基づき、「符号の説明」「００１９」に記載の図１「マニ研伝票」の各番号のセルデータを該仕様の記載項目ＮＯに設定、該「マニ研伝票」の２行目については、８、９、１０、１１、１２、５９は２行目に記載されているセルデータを、処３−１は処３−２の、処１−１は処１−２の、処２−１は処２−２のセルデータをそれぞれに設定し、それ以外は該仕様に準拠して設定、３行目以降は上記に準じて対処、記載項目が空欄の場合は、接続関連必須項目は接続関連データを設定しそれ以外は設定せず、ＣＳＶファイルを生成、生成した該ファイルを記憶保存し、記憶保存した該ファイルを電子Ｍ／Ｗｅｂ版の排出事業者ＣＳＶ読込みで読込み登録する電子Ｍ排出事業者新規登録ＣＳＶファイル生成・記憶保存・読込・登録手段と
電子Ｍ排出事業者新規登録ＣＳＶファイル生成・記憶保存・読込・登録手段により生成・記憶保存されたＣＳＶファイルを、通信ネットワークを介してＡＳＰコンピュータに送信する電子Ｍ排出事業者新規登録ＣＳＶファイルＡＳＰ送信手段と
「マニ研伝票」追加データ生成・記憶保存・印刷手段により生成・記憶保存されたＥｘｃｅｌ製「マニ研伝票」（追加データ）を、或いは「マニ研伝票」再追加データ生成・記憶保存・印刷手段により生成・記憶保存されたＥｘｃｅｌ製「マニ研伝票」（再追加データ）を、通信ネットワークを介してＡＳＰコンピュータに送信する電子Ｍ排出事業者新規登録「マニ研伝票」ＡＳＰ送信手段と、
収集運搬業者の端末に
収集運搬業者は電子Ｍ／Ｗｅｂ版で自社の加入者番号とパスワードをキーにアクセスし、「マニフェスト情報を検索して報告」（運搬終了報告）画面の検索条件に引渡し日を指定して検索し、入手した運搬終了報告情報を該引渡し日をキーに記憶保存する運搬終了報告情報記憶保存手段と、
運搬終了報告情報記憶保存手段により引渡し日が指定され、入手され、該引渡し日をキーに記憶保存された運搬終了報告情報ファイルのマニフェスト番号が電子Ｍ運搬終了報告（読込／保存）ＣＳＶレイアウト仕様の記載項目ＮＯ１マニフェスト番号に設定され、設定された行の運搬区間番号に記載されている数字が該レイアウト仕様の記載項目ＮＯ２運搬区間番号に設定され、設定された行の連絡番号２に記載されているパターン番号・巡回に記されている数字・廃棄物の種類コードに加えて該手段の該引渡し日をキーに「マニ研伝票」引渡す廃棄物品目記入各行毎のデータファイルが検索され、該キーと一致するデータが取得され取得されたデータの運搬終了年月日（年月日ＹＹＹＹ／ＭＭ／ＤＤを小文字で表記する）が該レイアウト仕様の記載項目ＮＯ３の運搬終了日に、運搬担当者氏名が該レイアウト仕様の記載項目ＮＯ４の運搬担当者に設定され、設定されたデータが電子Ｍ／Ｗｅｂ版の収集運搬業者ＣＳＶ読込・報告手順により読込まれ、報告される収集運搬業者ＣＳＶ（読込／保存）運搬終了報告手段と、
収集運搬業者は電子Ｍ／Ｗｅｂ版で自社の加入者番号とパスワードをキーにアクセスし、収集運搬業者・電子Ｍ／Ｗｅｂ版「マニフェスト情報を検索して報告」（運搬終了報告）画面の検索条件に引渡し日を指定し、該引渡し日に「マニ研伝票」の（図１の４）引渡し日を設定して検索し、入手したデータの連絡番号２に記載されているパターン番号・巡回に記されている数字・廃棄物の種類コードと該「マニ研伝票」に記載されている（図１の２）パターン番号・（図１のＪ）巡回に記されている数字・（図１の１行目のデータを取得する場合は図１の１行目の８、図１の２行目のデータを取得する場合は図１の２行目の８、図１の３行目のデータを取得する場合は図１の３行目の８、図１の４行目のデータを取得する場合は図１の４行目の８、図１の５行目のデータを取得する場合は図１の５行目の８）廃棄物の種類コードが一致するデータを選択し、図１「マニ研伝票」のＵ１の運搬受託者（収集運搬業者）（１）は運搬終了日設定のセルに該「マニ研伝票」の収１−１のセルデータ（年月日ＹＹＹＹ／ＭＭ／ＤＤを小文字で表記する）を、運搬担当者設定のセルに該「マニ研伝票」の収１−２のセルデータを設定し、図１「マニ研伝票」のＵ２の運搬受託者（収集運搬業者）（２）は運搬終了日設定のセルに該「マニ研伝票」の収２−１のセルデータ（年月日ＹＹＹＹ／ＭＭ／ＤＤを小文字で表記する）を運搬担当者設定のセルに該「マニ研伝票」の収２−２のセルデータを設定し収集運搬終了報告を行う収集運搬業者・電子Ｍ／Ｗｅｂ版運搬終了報告手段と、
処分業者加入の端末に
処分業者は電子Ｍ／Ｗｅｂ版で自社の加入者番号とパスワードをキーにアクセスし、「マニフェスト情報を検索して報告」（処分終了報告）画面の検索条件に引渡し日を指定して検索し、入手した処分終了報告情報を該引渡し日をキーに記憶保存する処分終了報告情報記憶保存手段と、
処分終了報告情報記憶保存手段により引渡し日が指定され、入手され、該引渡し日をキーに記憶保存された処分終了報告情報ファイルのマニフェスト番号が電子Ｍ処分終了報告（読込／保存）ＣＳＶレイアウト仕様の記載項目ＮＯ１マニフェスト番号に設定され、設定された行の報告区分に記載されている数字が該レイアウト仕様の記載項目ＮＯ２報告区分に設定され、設定された行の連絡番号２に記載されているパターン番号・巡回に記されている数字・廃棄物の種類コードに加えて該手段の該引渡し日をキーに「マニ研伝票」引渡す廃棄物品目記入各行毎のデータファイルが検索され、該キーと一致するデータが取得され取得されたデータの処分終了年月日（年月日ＹＹＹＹ／ＭＭ／ＤＤを小文字で表記する）が該レイアウト仕様の記載項目ＮＯ３の処分終了日に、処分担当者氏名が該レイアウト仕様の記載項目ＮＯ４の処分担当者に設定され、設定されたデータが電子Ｍ／Ｗｅｂ版の処分業者ＣＳＶ読込・報告手順により読込まれ、報告される処分業者ＣＳＶ（読込／保存）処分終了報告手段と、
処分業者は電子Ｍ／Ｗｅｂ版で自社の加入者番号とパスワードをキーにアクセスし、処分業者・電子Ｍ／Ｗｅｂ版「マニフェスト情報を検索して報告」（処分終了報告）画面の検索条件に引渡し日を指定し、該引渡し日に「マニ研伝票」の（図１の４）引渡し日を設定して検索し、入手したデータの連絡番号２に記載されているパターン番号・巡回に記されている数字・廃棄物の種類コードと該「マニ研伝票」に記載されている（図１の２）パターン番号・（図１のＪ）巡回に記されている数字・（図１の１行目のデータを取得する場合は図１の１行目の８、図１の２行目のデータを取得する場合は図１の２行目の８、図１の３行目のデータを取得する場合は図１の３行目の８、図１の４行目のデータを取得する場合は図１の４行目の８、図１の５行目のデータを取得する場合は図１の５行目の８）廃棄物の種類コードが一致するデータを選択し、選択した該画面が１行目のデータの場合は処分終了日設定のセルに該「マニ研伝票」の処１−１のセルデータ（年月日ＹＹＹＹ／ＭＭ／ＤＤを小文字で表記する）を、処分担当者設定のセルに該「マニ研伝票」の処２−１のセルデータを設定、選択した該画面が２行目のデータの場合は処分終了日設定のセルに該「マニ研伝票」の処１−２のセルデータ（年月日ＹＹＹＹ／ＭＭ／ＤＤを小文字で表記する）を、処分担当者設定のセルに該「マニ研伝票」の処２−２のセルデータを設定、選択した該画面が３行目のデータの場合は処分終了日設定のセルに該「マニ研伝票」の処１−３のセルデータ（年月日ＹＹＹＹ／ＭＭ／ＤＤを小文字で表記する）を、処分担当者設定のセルに該「マニ研伝票」の処２−３のセルデータを設定、選択した該画面が４行目のデータの場合は処分終了日設定のセルに該「マニ研伝票」の処１−４のセルデータ（年月日ＹＹＹＹ／ＭＭ／ＤＤを小文字で表記する）を、処分担当者設定のセルに該「マニ研伝票」の処２−４のセルデータを設定、選択した該画面が５行目のデータの場合は処分終了日設定のセルに該「マニ研伝票」の処１−５のセルデータ（年月日ＹＹＹＹ／ＭＭ／ＤＤを小文字で表記する）を、処分担当者設定のセルに該「マニ研伝票」の処２−５のセルデータを設定（その他の項目について接続関連必須項目は設定し、特に設定の必要がなければ設定しない）し処分終了報告を行う処分業者・電子Ｍ／Ｗｅｂ版処分終了報告手段と、
ＡＳＰコンピュータに
電子Ｍ排出事業者新規登録ＣＳＶファイルＡＳＰ送信手段によりＡＳＰコンピュータに送信された排出事業者新規登録ＣＳＶファイルが受信され、受信された該ＣＳＶファイルが記憶保存され、記憶保存された該ＣＳＶファイルの項目ＮＯ１の連絡番号１のデータをＥＤＩのＤ０５連絡番号情報の項番３表示順１・項番４に、項目ＮＯ２の連絡番号２のデータをＥＤＩのＤ０５連絡番号情報の項番３表示順２・項番４に、項目ＮＯ３の連絡番号３のデータをＥＤＩのＤ０５連絡番号情報の項番３表示順３・項番４に、項目ＮＯ４の引渡し日のデータをＥＤＩのＤ０１マニフェスト情報の項番７引渡し日に、自社の排出事業者コードの下に排出事業場コードを設定し、その排出事業場コードのサブ番号１に排出事業場名称、サブ番号２に排出事業場所在地１、サブ番号３に排出事業場所在地２を設定し排出事業場リストを設定し、項目ＮＯ５の排出事業場コードをキーに、排出事業場リストを検索し排出事業場コードが一致した排出事業場コードのサブ番号１の排出事業場名称をＥＤＩのＤ０１マニフェスト情報の項番９排出事業場名称に、該排出事業場コードのサブ番号２の排出事業場所在地１をＥＤＩのＤ０１マニフェスト情報の項番１１排出事業場所在地１に、該排出事業場コードのサブ番号３の排出事業場所在地２をＥＤＩのＤ０１マニフェスト情報の項番１２排出事業場所在地２に、項目ＮＯ６の引渡し担当者のデータをＥＤＩのＤ０１マニフェスト情報の項番１７引渡し担当者に、項目ＮＯ８の廃棄物の種類コードの上２桁をＥＤＩのＤ０１マニフェスト情報の項番１９大分類コードに、項目ＮＯ８の廃棄物の種類コードの３桁目をＥＤＩのＤ０１マニフェスト情報の項番２０中分類コードに、項目ＮＯ８の廃棄物の種類コードの４桁目をＥＤＩのＤ０１マニフェスト情報の項番２１小分類コードに、項目ＮＯ８の廃棄物の種類コードの下３桁をＥＤＩのＤ０１マニフェスト情報の項番２２細分類コードに、項目ＮＯ９の廃棄物の名称のデータをＥＤＩのＤ０１マニフェスト情報の項番２４廃棄物の名称に、項目ＮＯ１０の廃棄物の数量のデータをＥＤＩのＤ０１マニフェスト情報の項番２５廃棄物の数量に、項目ＮＯ１１の廃棄物の数量単位コードのデータをＥＤＩのＤ０１マニフェスト情報の項番２６廃棄物の数量単位コードに、項目ＮＯ１２の荷姿コードのデータをＥＤＩのＤ０１マニフェスト情報の項番２８荷姿コードに、項目ＮＯ１４の数量の確定者コードのデータをＥＤＩのＤ０１マニフェスト情報の項番２７数量の確定者コードに、項目ＮＯ１５の有害物質１（コード）のデータをＥＤＩのＤ０１マニフェスト情報の項番５７に３を設定し、１件目のＥＤＩのＤ０２有害物質情報の項番３有害物質コードに、項目ＮＯ１６の有害物質２（コード）のデータをＥＤＩのＤ０１マニフェスト情報の項番５７に３を設定し、２件目のＥＤＩのＤ０２有害物質情報の項番３有害物質コードに、項目ＮＯ１７の有害物質３（コード）のデータをＥＤＩのＤ０１マニフェスト情報の項番５７に３を設定し、３件目のＥＤＩのＤ０２有害物質情報の項番３有害物質コードに、直行の場合（積替え保管なしの場合）はＥＤＩのＤ０１マニフェスト情報の項番５８に１を設定し、ＥＤＩのＤ０３収集運搬情報の項番３区間番号１のファイルの項目ＮＯ２１の［区間１］収集運搬業者加入者番号のデータをＥＤＩのＤ０３収集運搬情報の項番３区間番号１のファイルの収集運搬情報の項番４収集運搬業者加入者番号に、項目ＮＯ２３の［区間１］運搬方法のデータをＥＤＩのＤ０３収集運搬情報の項番３区間番号１のファイルの収集運搬情報の項番２６運搬方法コードに、項目ＮＯ２６の［区間１］運搬先事業場加入者番号にデータがあれば該データ（無ければ空欄のまま）をＥＤＩのＤ０３収集運搬情報の項番３区間番号１のファイルの収集運搬情報の項番２９運搬先加入者番号に、項目ＮＯ２７の［区間１］運搬先事業場コードにデータがあれば該データ（無ければ空欄のまま）をＥＤＩのＤ０３収集運搬情報の項番３区間番号１のファイルの収集運搬情報の項番３０運搬先事業場番号に、積替え保管の場合はＥＤＩのＤ０１マニフェスト情報の項番５８に２を設定し、項目ＮＯ２１の［区間１］収集運搬業者加入者番号のデータをＥＤＩのＤ０３収集運搬情報の項番３区間番号１のファイルの収集運搬情報の項番４収集運搬業者加入者番号に、項目ＮＯ２３の［区間１］運搬方法のデータをＥＤＩのＤ０３収集運搬情報の項番３区間番号１のファイルの収集運搬情報の項番２６運搬方法コードに、項目ＮＯ２６の［区間１］運搬先事業場加入者番号にデータがあれば該データ（無ければ空欄のまま）をＥＤＩのＤ０３収集運搬情報の項番３区間番号１のファイルの収集運搬情報の項番２９運搬先加入者番号に、項目ＮＯ２７の［区間１］運搬先事業場コードにデータがあれば該データ（無ければ空欄のまま）をＥＤＩのＤ０３収集運搬情報の項番３区間番号１のファイルの収集運搬情報の項番３０運搬先事業場番号に、項目ＮＯ２８の［区間２］収集運搬業者加入者番号のデータをＥＤＩのＤ０３収集運搬情報の項番３区間番号２のファイルの該収集運搬情報の項番４収集運搬業者加入者番号に、
項目ＮＯ３０の［区間２］運搬方法のデータをＥＤＩのＤ０３収集運搬情報の項番２６運搬方法コードに、項目ＮＯ３３の［区間２］運搬先事業場加入者番号にデータがあれば該データ（無ければ空欄のまま）をＥＤＩのＤ０３収集運搬情報の項番３区間番号２のファイルの該収集運搬情報の項番２９運搬先加入者番号に、項目ＮＯ３４の［区間２］運搬先事業場コードにデータがあれば該データ（無ければ空欄のまま）をＥＤＩのＤ０３収集運搬情報の項番３区間番号２のファイルの該収集運搬情報の項番３０運搬先事業場番号に、項目ＮＯ５６の処分業者加入者番号のデータをＥＤＩのＤ０１マニフェスト情報の項番３１処分業者加入者番号に、項目ＮＯ５８の処分事業場コードのデータをＥＤＩのＤ０１マニフェスト情報の項番３０運搬先事業場番号（処分事業場の事業場番号）に、項目ＮＯ５９の処分方法コードのデータをＥＤＩのＤ０１マニフェスト情報の項番５３処分方法コードに、項目ＮＯ６０の最終処分事業場登録区分の０をＥＤＩのＤ０１マニフェスト情報の項番５５最終処分事業場記載フラグに、ＥＤＩのＤ０１マニフェスト情報の項番６１備考件数に５を設定し、Ｄ０６備考情報の項番３に表示順５を設定した上で、項目ＮＯ７１の備考１のデータをＥＤＩのＤ０１マニフェスト情報のＤ０６備考情報の項番３の表示順１のファイルの該備考情報の項番４に設定し、項目ＮＯ７２の備考２のデータをＥＤＩのＤ０１マニフェスト情報のＤ０６備考情報の項番３の表示順２のファイルの該備考情報の項番４に設定し、項目ＮＯ７３の備考３のデータをＥＤＩのＤ０１マニフェスト情報のＤ０６備考情報の項番３の表示順３のファイルの該備考情報の項番４に設定し、項目ＮＯ７４の備考４のデータをＥＤＩのＤ０１マニフェスト情報のＤ０６備考情報の項番３の表示順４のファイルの該備考情報の項番４に設定し、項目ＮＯ７５の備考５のデータをＥＤＩのＤ０１マニフェスト情報のＤ０６備考情報の項番３の表示順５のファイルの該備考情報の項番４に設定し、設定したデータが電子Ｍ／ＥＤＩ版排出事業者新規登録接続仕様にのっとり電子Ｍに登録される電子Ｍ／ＥＤＩ版排出事業者新規登録手段と、
電子Ｍ排出事業者新規登録「マニ研伝票」ＡＳＰ送信手段により通信ネットワークを介してＡＳＰコンピュータに送信されたＥｘｃｅｌ製「マニ研伝票」（再追加データ）が受信され、受信された該「マニ研伝票」が記憶保存され、記憶保存された該「マニ研伝票」が電子Ｍ／ＥＤＩ版排出事業者新規登録接続仕様にのっとり電子Ｍに登録される電子Ｍ／ＥＤＩ版排出事業者「マニ研伝票」新規登録手段と、
電子Ｍ／ＥＤＩ版排出事業者新規登録手段、電子Ｍ／ＥＤＩ版排出事業者「マニ研伝票」新規登録手段により電子Ｍに登録された排出事業者登録情報を電子Ｍ／ＥＤＩ版排出事業者登録情報入手手順により入手し、入手したＥＤＩ排出事業者登録情報を記憶保存するＥＤＩ排出事業者登録情報入手記憶保存手段と、
電子Ｍ／ＥＤＩ版運搬終了報告を行うにあたり、ＥＤＩ排出事業者登録情報入手記憶保存手段により記憶保存されたＥＤＩ排出事業者登録情報（ＥＤＩマニフェスト情報）ファイルから電子Ｍ加入契約の運搬受託者（収集運搬業者）の収集運搬業者加入者番号をキーに検索し取得したＥＤＩ排出事業者登録情報の項番３マニフェスト番号を電子Ｍ／ＥＤＩ版運搬終了報告のＲ０９運搬終了報告情報の項番３マニフェスト番号に、該登録情報のＲ０３収集運搬情報の項番３区間番号を電子Ｍ／ＥＤＩ版運搬終了報告のＲ０９運搬終了報告情報の項番４区間番号に、区間番号が１の場合は該登録情報のＲ０６備考情報の項番３備考ＮＯ１の項番４に記載されている運搬終了データ（ＹＹＹＹ／ＭＭ／ＤＤ（運搬終了年月日）と運搬担当者氏名）を取得し、取得した該データをＹＹＹＹ／ＭＭ／ＤＤと運搬担当者氏名に分割し、区間番号が２の場合は該登録情報のＲ０６備考情報の項番３備考ＮＯ２の項番４に記載されている運搬終了データ（ＹＹＹＹ／ＭＭ／ＤＤ（運搬終了年月日）と運搬担当者氏名）を取得し、取得した該データをＹＹＹＹ／ＭＭ／ＤＤと運搬担当者氏名に分割し、ＹＹＹＹ／ＭＭ／ＤＤ（小文字で設定する）を該Ｒ０９運搬終了報告情報の項番６運搬終了日に（小文字で設定する）、運搬担当者氏名を該Ｒ０９運搬終了報告情報の項番１３運搬担当者に、該Ｒ０９運搬終了報告情報の項番１レイアウト番号にＲ０９を、該Ｒ０９運搬終了報告情報の項番２機能番号に１０００を、該Ｒ０９運搬終了報告情報の項番５簡易情報取得フラグに１を設定し、該Ｒ０９運搬終了報告情報の項番１５改行コードにはレコード区切り文字を設定（その他の記載項目について、必須項目については必要条件を設定しそれ以外は特に設定の必要がなければ設定しない）、設定されたＲ０９運搬終了報告情報が電子Ｍ／ＥＤＩ版運搬終了報告接続仕様にのっとり電子Ｍコンピュ−タに通信ネットワークを介して送信される電子Ｍ／ＥＤＩ版運搬終了報告手段と、
電子Ｍ／ＥＤＩ版処分終了報告を行うにあたり、ＥＤＩ排出事業者登録情報入手記憶保存手段により記憶保存されたＥＤＩ排出事業者登録情報（ＥＤＩマニフェスト情報）ファイルからＡＳＰ加入契約の処分受託者（処分業者）の処分業者加入者番号をキーに検索し取得したＥＤＩ排出事業者登録情報の項番３マニフェスト番号を電子Ｍ／ＥＤＩ版処分終了報告のＲ１０処分終了報告情報の項番３マニフェスト番号に、該登録情報のＲ０６備考情報の項番３備考ＮＯ３の項番４に記載されている処分終了データ（ＹＹＹＹ／ＭＭ／ＤＤ（処分終了年月日）と処分担当者氏名）を取得し、取得した該データをＹＹＹＹ／ＭＭ／ＤＤと処分担当者氏名に分割し、ＹＹＹＹ／ＭＭ／ＤＤ（小文字で設定する）を該Ｒ１０処分終了報告情報の項番５処分終了日に、処分担当者氏名を該Ｒ１０処分終了報告情報の項番１２処分担当者に該登録情報のＲ０６備考情報の項番３備考ＮＯ４の項番４に記載されている処分終了報告区分コードを該Ｒ１０処分終了報告情報の項番１４報告区分に該Ｒ１０処分終了報告情報の項番１レイアウト番号にＤ１０を、該Ｒ１０処分終了報告情報の項番２機能番号に１５００を、該Ｒ１０処分終了報告情報の項番４簡易情報取得フラグに１を、該Ｒ１０処分終了報告情報の項番１５改行コードにはレコード区切り文字を設定（その他の記載項目について、必須項目については必要条件を設定しそれ以外は特に設定の必要がなければ設定しない）、設定されたＲ１０処分終了報告情報が電子Ｍ／ＥＤＩ版処分終了報告接続仕様にのっとり電子Ｍコンピュ−タに通信ネットワークを介して送信される電子Ｍ／ＥＤＩ版処分終了報告手段とを備える
ことを特徴とする電子マニフェスト登録・報告データ一元管理システム
【発明の詳細な説明】
【技術分野】
【０００１】
産廃の情報処理に関して電子マニフェスト（電子Ｍ）コンピュータとアプリケーションサービスプロバイダー（ＡＳＰ）コンピュータと双方の加入者である排出事業者、収集運搬業者、処分業者の各端末がコンピュ−タ通信ネットワークを構築し電子Ｍを運用するにあたり、電子マニフェスト登録・報告データ一元管理システムはASP加入の収集運搬業者端末か処分業者端末のどちらかが、Ｅｃｓｅｌ製の「マニ研伝票」に電子Ｍの排出事業者登録情報、収集運搬業者報告情報、処分業者報告情報を入力し、入力したデータをＡＳＰコンピュータに送信、受信したＡＳＰコンピュータが受信したデータを利用して通信ネットワークを介して電子Ｍへの排出事業者登録、収集運搬業者報告、処分業者報告を代行して行う情報処理に関する。
【背景技術】
【０００２】
現在の産廃ＡＳＰのいくつかのケースを記してみると
収集運搬業者が大手排出事業者と自社のデータ処理をコンピュータで行いＡＳＰコンピュータに送信し、ＡＳＰコンピュータが電子Ｍコンピュータへの排出事業者登録と収集運搬業者運搬終了報告を代行して行い、処分業者が処分終了報告データ処理をコンピュータで行い処分終了報告データをＡＳＰコンピュータに送信し、ＡＳＰコンピュータが電子Ｍコンピュータへの処分業者処分終了報告を代行して行うケースがあるが収集運搬業者と処分業者の設備導入費、維持管理・運営費が高額で導入が伸び悩んでいるようである。
【０００３】
ＡＳＰコンピュータがＧＰＳによる廃棄物画像追跡管理システムを運用し廃棄物データの電子Ｍコンピュータへの排出事業者の登録、業者の報告は各社が行っているケース等があるが、電子Ｍシステムの最大の弱点である排出事業者の登録データの作成が排出事業者自身による作成となっており、なかなか普及しないようである。
【０００４】
電子Ｍ、ＡＳＰ双方加入の収集運搬業者の端末が入力した図１の複数品目記載できるＥｘｃｅｌ製の伝票データを送信担当者コードをキーにＡＳＰコンピュータに通信ネットワークを利用して送信し、受信したＡＳＰコンピュータが排出事業者の電子Ｍコンピュータへの登録の代行と、収集運搬業者の電子Ｍコンピュータへの運搬終了報告の代行を行い、電子Ｍ、ＡＳＰ双方加入の処分業者の端末が処分終了データを追加入力したＥｘｃｅｌ製の伝票データをＡＳＰコンピュータに通信ネットワークを利用して送信し、受信したＡＳＰコンピュータが処分業者の電子Ｍコンピュータへの処分終了報告を代行して行うシステムは無いようである。
【先行技術文献】
【特許文献】
【０００５】
【特許文献１】特許第４２９１２０８号
【非特許文献】
【０００６】
【非特許文献１】（財）日本産業廃棄物処理振興センター・情報処理センター（日本でただ１つ設置すると廃棄物処理清掃法で設定された産業廃棄物に関する情報処理センターである）発行のＥＤＩ版電子マニフェストシステム接続仕様書（２００３年８月発行）上記仕様書は、発送番号４３９３７３の拒絶理由通知書に対する、平成17年２月３日提出、事件の表示 特願２００４−１４９７３７の意見書の提出物件の目録の（７）であり、近年一部追加されたが基本構造には変更はなかったと聞いている。（（財）日本産業廃棄物処理振興センター・情報処理センターのホームページアドレスのＥＤＩ版のご案内のファイルレイアウト仕様を参照。
【発明の概要】
【発明が解決しようとする課題】
【０００７】
本発明が解決しようとする問題点の1つは、電子Ｍシステムの最大の弱点である排出事業者の登録データの作成が排出事業者自身による作成となっている点である。
また、本発明が解決しようとする課題の2つ目は、電子ＭのＷｅｂ版の収集運搬業者、処分業者の終了報告が複雑で、また、ＡＳＰに加入しても電子Ｍコンピュータへの収集運搬業者、処分業者の終了報告に関する維持管理・運営費が高額で普及のネックになっている点である。
【課題を解決するための手段】
【０００８】
本発明は、収集運搬業者が作成し、運転手に渡す作業指示書をＥｘｃｅｌ製の伝票で運用し、現場で該伝票に追記した各廃棄物それぞれの数量、運搬担当者、運搬終了日、各廃棄物毎の処分担当者、各廃棄物毎の処分終了日等を収集運搬業者が端末で追加入力し、その伝票データ（電子Ｍ排出事業者新規登録（読込／保存）ＣＳＶファイルレイアウト仕様で作成する場合は運搬担当者、運搬終了日、各廃棄物毎の処分担当者、各廃棄物毎の処分終了日等を備考欄に設定する）をＡＳＰコンピュータに通信ネットワークを利用して送信し、受信したＡＳＰコンピュータが送信担当者コードをキーに排出事業者の電子Ｍコンピュータへの登録の代行と、電子Ｍ／ＥＤＩ版運搬終了報告手段により収集運搬業者の電子Ｍコンピュータへの運搬終了報告の代行を行い、処分業者は処分業者・電子Ｍ／Ｗｅｂ版処分終了報告手段により電子ＭのＷｅｂ版で処分終了報告を行えば、或いは収集運搬業者が端末で追加入力したその伝票データを排出事業者にメール送信し、排出事業者は受信した該伝票データをＣＳＶ変換し電子ＭのＷｅｂ版のＣＳＶ読込みで読込み登録し、収集運搬業者は収集運搬業者・電子Ｍ／Ｗｅｂ版運搬終了報告手段により電子ＭのＷｅｂ版で収集運搬終了報告を行い、処分業者は処分業者・電子Ｍ／Ｗｅｂ版処分終了報告手段により電子ＭのＷｅｂ版で処分終了報告を行えば本発明が解決しようとする問題点の1つが解消される。
【０００９】
また、電子Ｍ、ＡＳＰ双方加入の処分業者の端末が処分終了データを追加入力したＥｘｃｅｌ製の伝票データ（電子Ｍ排出事業者新規登録（読込／保存）ＣＳＶファイルレイアウト仕様で作成する場合は運搬担当者、運搬終了日、各廃棄物毎の処分担当者、各廃棄物毎の処分終了日等を備考欄に設定する）をＡＳＰコンピュータに通信ネットワークを利用して送信し、受信したＡＳＰコンピュータが電子Ｍ／ＥＤＩ版処分終了報告手段により処分業者の電子Ｍコンピュータへの処分終了報告を代行して行えば、本発明が解決しようとする問題点の２つ目が解消され、Ｅｘｃｅｌ製の作業指示書を使用することにより、排出事業者、収集運搬業者、処分業者を煩雑な手間から解放することを最も主な特徴とする。
【発明の効果】
【００１０】
本発明の電子マニフェスト登録・報告データ一元管理システムは、排出事業者は自社の登録データの作成、及び電子Ｍへの登録から解放され、かつ、業者は煩雑な手間から解放されるという利点がある。
【図面の簡単な説明】
【００１１】
【図１】本発明で使用するＥｘｃｅｌ製の「マニ研伝票」である。
【発明を実施するための形態】
【００１２】
排出事業者が自社の登録データを作成し電子Ｍへ自ら登録するという煩雑な手間から排出事業者を解放するという目的と、かつ、業者を煩雑な手間から解放するという目的を、Ｅｘｃｅｌ製の「マニ研伝票」で実現した。
【実施例１】
【００１３】
図１は本発明で使用するＥｘｃｅｌ製の「マニ研伝票」であって、電子Ｍ排出事業者新規登録（読込／保存）ＣＳＶレイアウト仕様の１〜７５の中で内容が記載されている項目番号が必須項目または必要項目であり、電子ＭのＥＤＩ版接続仕様の必須項目、必要項目も接続関連必須項目を除いてそれ以外は同一と聞いている。
【００１４】
図１の収１は電子Ｍ運搬終了報告新規登録（読込／保存）ＣＳＶレイアウト仕様においては項目ＮＯ３の運搬終了日（必須項目）であり、電子Ｍ／ＥＤＩ版接続仕様の運搬終了報告情報においては項番６の運搬終了日（必須項目）であり、収２は電子Ｍ運搬終了報告新規登録（読込／保存）ＣＳＶレイアウト仕様においては項目ＮＯ４の運搬担当者（必須項目）であり、電子Ｍ／ＥＤＩ版接続仕様においては運搬終了報告情報の項番１３の運搬担当者（必須項目）である。
【００１５】
図１の処１−１は図１の１行目（図１に行１と記載）に関する電子Ｍ処分終了報告新規登録（読込／保存）ＣＳＶレイアウト仕様においては項目ＮＯ３の処分終了日（必須項目）であり、電子Ｍ／ＥＤＩ版接続仕様の処分終了報告情報においては項番５の処分終了日（必須項目）であり、処２−１は図１の１行目に関する電子Ｍ処分終了報告新規登録（読込／保存）ＣＳＶレイアウト仕様においては項目ＮＯ４の処分担当者（必須項目）であり、電子Ｍ／ＥＤＩ版接続仕様においては処分終了報告情報の項番１２の処分担当者（必須項目）であり、処３−１は図１の１行目に関する電子Ｍ処分終了報告新規登録（読込／保存）ＣＳＶレイアウト仕様においては項目ＮＯ２の報告区分（必須項目）であり、電子Ｍ／ＥＤＩ版接続仕様においては処分終了報告情報の項番１４の報告区分（必須項目）である。
【００１６】
図１の２行目（図１に行２と記載）については処１−２と、α行目（図１に行αと記載）については処１−αと記載し、データが記載されている行については［００１５］に準拠する。
【００１７】
図１の各番号が指定するセル情報を［００１３］〜［００１６］に準拠して、収集運搬業者ＣＳＶ（読込／保存）運搬終了報告手段、処分業者ＣＳＶ（読込／保存）処分終了報告手段により報告を行うか、それぞれの電子Ｍ／ＥＤＩ版接続仕様の登録または報告情報における該当する項番に設定し電子Ｍ／ＥＤＩ版接続手順にのっとり登録または報告を行えば、排出事業者、収集運搬業者、処分業者を煩雑な手間から解放することに大いに役立つ。
【産業上の利用可能性】
【００１８】
Ｅｘｃｅｌ製の伝票を使うことにより排出事業者、収集運搬業者、処分業者間で数量等の現場記入項目の入力前或いは入力後の伝票を簡単にメール転送し情報の共有化ができ、該情報を電子Ｍ新規登録（読込／保存）ＣＳＶレイアウト仕様により簡単に読取り電子Ｍへの排出事業者登録、収集運搬業者運搬終了報告、処分業者処分終了報告が行え、或いは、該情報を電子Ｍ／ＥＤＩ版接続手順にのっとり電子Ｍへの排出事業者登録、収集運搬業者運搬終了報告、処分業者処分終了報告がＡＳＰを経由して代行して行え、全国的に産廃の電子マニフェスト化に対応しきれていない地域にも簡単に適用できる。
【符号の説明】
【００１９】
図１「マニ研伝票」の下記番号のセルデータを電子Ｍ排出事業者新規登録（読込／保存）ＣＳＶレイアウト仕様の記載項目ＮＯに設定する。（電子Ｍ／ＥＤＩ版接続仕様の場合はマニフェスト情報／予約情報（排出事業者機能）及びそのサブ情報の項番に設定する。項番は（  ）内に記載）なお、２行目については、８、９、１０、１１、１２、５９は２行目に記載されているセルデータを、処３−１は処３−２の、処１−１は処１−２の、処２−１は処２−２のセルデータをそれぞれに設定し、それ以外は下記を設定する。３行目以降は上記に準じて対処する。
（記載項目が空欄の場合は、接続関連必須項目は接続関連データを設定しそれ以外はスペースを設定する）
１  記載項目ＮＯ１の連絡番号１（マニフェスト情報の項番６０のサブ情報Ｄ０５の表示順１の項番４）
２とＪと８のセルデータを２−Ｊ−８のように−で連結し、記載項目ＮＯ２の連絡番号２（マニフェスト情報の項番６０のサブ情報Ｄ０５の表示順２の項番４）
３と５とＳＫのセルデータを３−５−ＳＫのように−で連結し、記載項目ＮＯ３の連絡番号３（マニフェスト情報の項番６０のサブ情報Ｄ０５の表示順３の項番４）
４  記載項目ＮＯ４の引渡し日（マニフェスト情報の項番７）
５  記載項目ＮＯ５の排出事業場（コード）（マニフェスト情報の項番８の排出事業場情報の各項目情報）
６  記載項目ＮＯ６の引渡し担当者（マニフェスト情報の項番１７）
７                        
８  記載項目ＮＯ８の廃棄物の種類（コード）（マニフェスト情報の項番１９，２０，２１，２２）
９  記載項目ＮＯ９の廃棄物の名称（マニフェスト情報の項番２４）
１０  記載項目ＮＯ１０の廃棄物の数量（マニフェスト情報の項番２５）
１１  記載項目ＮＯ１１の廃棄物の数量単位（コード）（マニフェスト情報の項番２６）
１２  記載項目ＮＯ１２の荷姿（コード）（マニフェスト情報の項番２８）
１３                        
１４  記載項目ＮＯ１４の数量の確定者（コード）（マニフェスト情報の項番２７）
１５  記載項目ＮＯ１５の有害物質１（コード）（マニフェスト情報の項番５７に件数３を設定し、設定した枠の１番目にサブ情報Ｄ０２の項番３）
１６  記載項目ＮＯ１６の有害物質２（コード）（マニフェスト情報の項番５７に件数３を設定し、設定した枠の２番目にサブ情報Ｄ０２の項番３）
１７  記載項目ＮＯ１７の有害物質３（コード）（マニフェスト情報の項番５７に件数３を設定し、設定した枠の３番目にサブ情報Ｄ０２の項番３）
１８                        
１９                            
２０                          
２１  記載項目ＮＯ２１の［区間１］収集運搬業者加入者番号（マニフェスト情報の項番５８のサブ情報Ｄ０３の項番４）
２２                        
２３  記載項目ＮＯ２３の［区間１］運搬方法（コード）（マニフェスト情報の項番５８のサブ情報Ｄ０３の項番２６）
２４                        
２５                        
２６                        
２７                        
２８〜５５は２１〜２７迄を繰り返して設定する
５６  記載項目ＮＯ５６の処分業者加入者番号（マニフェスト情報の項番３１）
５７                        
５８  記載項目ＮＯ５８の処分事業場（コード）（マニフェスト情報の項番５８のサブ情報Ｄ０３の項番３０）
５９  記載項目ＮＯ５９の処分方法（コード）（マニフェスト情報の項番５３）
６０  記載項目ＮＯ６０の最終処分事業場登録区分（マニフェスト情報の項番５５）
６１                            
６２                            
６３                            
６４                            
６５                            
６６                            
６７                            
６８                            
６９                            
７０                            
収１−１（年月日）と収１−２（氏名）のセルデータをＹＹＹＹ／ＭＭ／ＤＤ−＊＊＊＊のように連結し、記載項目ＮＯ７１の備考１（マニフェスト情報の項番６１のサブ情報Ｄ０６の表示順１の項番４）
収２−１（年月日）と収２−２（氏名）のセルデータをＹＹＹＹ／ＭＭ／ＤＤ−＊＊＊＊のように連結し、記載項目ＮＯ７２の備考２（マニフェスト情報の項番６１のサブ情報Ｄ０６の表示順２の項番４）
処３−１  記載項目ＮＯ７３の備考３（マニフェスト情報の項番６１のサブ情報Ｄ０６の表示順３の項番４）
処１−１（年月日）と処２−１（氏名）のセルデータをＹＹＹＹ／ＭＭ／ＤＤ−＊＊＊＊のように連結し、
記載項目ＮＯ７４の備考４（マニフェスト情報の項番６１のサブ情報Ｄ０６の表示順４の項番４）
７５  記載項目ＮＯ７５の備考５（マニフェスト情報の項番６１のサブ情報Ｄ０６の表示順５の項番４）
【００２０】
図１「マニ研伝票」のＵ１の運搬受託者（収集運搬業者）（１）は図１「マニ研伝票」の下記番号のセルデータを電子Ｍ運搬終了報告（読込／保存）ＣＳＶレイアウト仕様の記載項目ＮＯに設定する。（電子Ｍ／ＥＤＩ版接続仕様の場合は運搬終了報告情報の項番に設定する。項番は（  ）内に記載）
＊記載項目が空欄の場合は、接続関連必須項目は接続関連データ（電子Ｍ／Ｗｅｂ版で自社の加入者番号とパスワードをキーにアクセスし、「マニ研伝票」１行目に関する項目ＮＯ１のマニフェスト番号には、図１の４の引渡し日と連絡番号２に記載されている図１の２のパターン番号・図１のＪの巡回に記されている数字・図１の１行目の８の廃棄物の種類コードをキーに検索し取得したマニフェスト番号を設定し項目ＮＯ２の運搬区間番号には１を設定する。２行目については上記手順の図１の１行目の８の廃棄物の種類コードを２行目の８の廃棄物の種類コードに変えて該コードをキーに上記手順にて検索し、取得したマニフェスト番号を設定、項目ＮＯ２の運搬区間番号には１を設定、３行目以降は上記手順に準拠する。）を設定しそれ以外はスペースを設定する。
上記にて取得した１行目のマニフェスト番号を記載項目ＮＯ１のマニフェスト番号に、記載項目ＮＯ２の運搬区間番号には１を設定、収１−１のセルデータ（年月日をＹＹＹＹ／ＭＭ／ＤＤと表記する）を記載項目ＮＯ３の運搬終了日（運搬終了報告情報の項番６）に、収１−２のセルデータを記載項目ＮＯ４の運搬担当者（運搬終了報告情報の項番１３）に設定、２行目以降は上記手順に準拠する。
【００２１】
図１「マニ研伝票」のＵ２の運搬受託者（収集運搬業者）（２）は図１「マニ研伝票」の下記番号のセルデータを電子Ｍ運搬終了報告（読込／保存）ＣＳＶレイアウト仕様の記載項目ＮＯに設定する。（電子Ｍ／ＥＤＩ版接続仕様の場合は運搬終了報告情報の項番に設定する。項番は（  ）内に記載）
＊記載項目が空欄の場合は、接続関連必須項目は接続関連データ（電子Ｍ／Ｗｅｂ版で自社の加入者番号とパスワードをキーにアクセスし、「マニ研伝票」１行目に関する項目ＮＯ１のマニフェスト番号には、図１の４の引渡し日と連絡番号２に記載されている図１の２のパターン番号・図１のＪの巡回に記されている数字・図１の１行目の８の廃棄物の種類コードをキーに検索し取得したマニフェスト番号を設定し項目ＮＯ２の運搬区間番号には２を設定する。２行目については上記手順の図１の１行目の８の廃棄物の種類コードを２行目の８の廃棄物の種類コードに変えて該コードをキーに上記手順にて検索し、取得したマニフェスト番号を設定、項目ＮＯ２の運搬区間番号には２を設定、３行目以降は上記手順に準拠する。）を設定しそれ以外はスペースを設定する。
上記にて取得した１行目のマニフェスト番号を記載項目ＮＯ１のマニフェスト番号に、記載項目ＮＯ２の運搬区間番号には２を設定、収２−１のセルデータ（年月日をＹＹＹＹ／ＭＭ／ＤＤと表記する）を記載項目ＮＯ３の運搬終了日（運搬終了報告情報の項番６）に、収２−２のセルデータを記載項目ＮＯ４の運搬担当者（運搬終了報告情報の項番１３）に設定、２行目以降は上記手順に準拠する。
【００２２】
図１「マニ研伝票」の下記番号のセルデータを電子Ｍ処分終了報告（読込／保存）ＣＳＶレイアウト仕様の記載項目ＮＯに設定する。（電子Ｍ／ＥＤＩ版接続仕様の場合は処分終了報告情報の項番に設定する。項番は（  ）内に記載）
＊記載項目が空欄の場合は、接続関連必須項目は接続関連データ（電子Ｍ／Ｗｅｂ版で自社の加入者番号とパスワードをキーにアクセスし、「マニ研伝票」１行目に関する項目ＮＯ１のマニフェスト番号には、図１の４の引渡し日と連絡番号２に記載されている図１の２のパターン番号・図１のＪの巡回に記されている数字・図１の１行目の８の廃棄物の種類コードをキーに検索し取得したマニフェスト番号を設定し項目ＮＯ２の報告区分には図１の処３−１のセルデータを設定する。２行目については上記手順の図１の１行目の８の廃棄物の種類コードを２行目の８の廃棄物の種類コードに変えて該コードをキーに上記手順にて検索し、取得したマニフェスト番号を２行目に関する項目ＮＯ１のマニフェスト番号に設定し項目ＮＯ２の報告区分には図１の処３−２のセルデータを設定、３行目以降は上記手順に準拠する。）を設定しそれ以外はスペースを設定する。
上記にて取得した１行目のマニフェスト番号を記載項目ＮＯ１のマニフェスト番号に、処１−１のセルデータ・年月日をＹＹＹＹ／ＭＭ／ＤＤと表記・を記載項目ＮＯ３の処分終了日（処分終了報告情報の項番５）に、処２−１のセルデータを記載項目ＮＯ４の処分担当者（処分終了報告情報の項番１２）に、図１の処３−１のセルデータを記載項目ＮＯ２の報告区分（処分終了報告情報の項番１４）に設定、２行目のマニフェスト番号を記載項目ＮＯ１のマニフェスト番号に、処１−２のセルデータ・年月日をＹＹＹＹ／ＭＭ／ＤＤと表記・を記載項目ＮＯ３の処分終了日（処分終了報告情報の項番５）に、処２−２のセルデータを記載項目ＮＯ４の処分担当者（処分終了報告情報の項番１２）に、図１の処３−２のセルデータを記載項目ＮＯ２の報告区分（処分終了報告情報の項番１４）に設定、３行目以降は上記手順に準拠する。
【図１】
2012141859.tif 000003